(57)【要約】      （修正有）【課題】軽量で光沢の美しいポリプロピレンを使用し、侵入の通路の途中に活性炭とヘパフィルターを収納した排気ガスの洗浄装置を提供する。【解決手段】ガス洗浄装置の洗浄塔本体１には、内部の下部より循環ポンプ５、水槽６、充填材室７とシャワー８を介してミストセパレーター及びデミスター９と、その上部に活性炭フィルター１０と、ヘパフィルター４を数段に収納したことを特徴としている。【選択図】図２
0003185047.tif 000002
【実用新案登録請求の範囲】
【請求項１】
洗浄塔本体（１）は、外周の側壁に吸込口（２）と上部に排風機（１１）を設けた吐出口（３）よりなるガス洗浄装置において、該洗浄塔本体（１）は、その構成材料として硬質合成樹脂のポリプロピレン系樹脂を以って構成し、且つ該洗浄塔本体（１）の内部には、下部より循環ポンプ（５）、水槽（６）、充填材室（７）、シャワー（８）を介して、ミストセパレーター及びデミスター（９）と、上部に活性炭フィルター（１０）とヘパフィルター（４）を段設収納したことを特徴とした湿式及び乾式、ヘパフィルター併用ガス洗浄装置。
【考案の詳細な説明】
【技術分野】
【０００１】  本考案は、ドラフト専用に使用される洗浄装置であって、全体を軽量で光沢の美しいダイオキシンが発生しないポリプロピレンを使用して構成し、且つ侵入通路の途中に活性炭及びヘパフィルターを収納した湿式及び乾式、ヘパフィルター併用ガス洗浄装置に関する。
【背景技術】
【０００２】  洗浄塔本体は、換気ガスが充填材室を通過時にシャワーで洗浄した状態で通過するため、湿気が著しく増大して水滴状態のまま送流され、次の活性炭等のフィルターの効果を著しく低下されている現状である。
また、従来この種の洗浄塔本体に使用される構成材料は、塩化ビニール等を主として使用するため、ダイオキシンが発生し、環境を著しく悪化する等の問題があった。
【考案の概要】
【考案が解決しようとする課題】
【０００３】  本考案は、上記従来の欠点に鑑みてなされたものであり、その主たる目的とする所は、洗浄塔本体をポリプロピレンを使用して形成し、耐薬品性、耐熱性及び耐蝕性と、更に通気性に優れ、振動による破損や亀裂の恐れもなく、軽量で光沢の美しい硬質合成樹脂を使用し、切削加工性が良好で、現場での組立や補修が容易に出来るものである。
更に、本考案の目的とする所は、洗浄塔本体の内部に設けた充填材室の上部に位置するシャワーの上部にミストセパレーター及びデミスターを設置することによって、湿気の水滴等を乾燥させて上部に位置する活性炭フィルターと、その上部のヘパフィルターとによって湿気から保護して乾燥を保持するようにしたものである。
【課題を解決するための手段】
【０００４】  本考案の湿式及び乾式、ヘパフィルター併用ガス洗浄装置において、洗浄塔本体（１）は、硬質合成樹脂をポリプロピレンのオレフィン系樹脂を以って成形する。
該洗浄塔本体（１）には、外周の側壁の下方に吸込口（２）を設けると共に、上端に吐出口（３）を装設する。
また、該洗浄塔本体（１）の内部には、下端より循環ポンプ（５）、その上部に水槽（６）及びパッキングを収納する充填材室（７）を設ける。該充填材室（７）の上部には、シャワー（８）とミストセパレーター及びデミスター（９）、その上部に活性炭フィルター（１０）（１０）が複数個収納装設し、その上部に特別にヘパフィルター（４）を装設したものである。
【考案の効果】
【０００５】  本考案は、以上説明したように構成されているので、以下の記載されたような効果がある。
洗浄塔本体は、構成材料としてポリプロピレンを使用しているので、従来の塩化ビニール製のものと比較すると、比重が小さく軽量化され、且つ耐熱性、耐薬品性及び耐蝕性に大変に優れる効果と、切削加工性が良好であると共に、ホットジェット溶接が容易な効果と、ダイオキシンの発生しないため大変に環境に優れている効果がある。
そして、洗浄塔本体の内部にフィルターの充填材室とシャワーの上部に設けたミストセパレーター及びデミスターを介在させ、充填材より上昇する水滴を乾燥排除すると共に、活性炭フィルターで乾燥を果し、且つ上部のヘパフィルターによって微粉体の排除を果し、従来のものと比較すると、活性炭の効果を長期に亘って充分に達成できると云う優れた効果がある。
【図面の簡単な説明】
【０００６】
【図１】  本考案の一部開示した正面図である。
【図２】  同じく本考案の内部を開示した縦断側面図である。
【図３】  本考案の一部欠除した背面図である。
【図４】  同じく本考案の洗浄塔本体の一部開示した上面図である。
【考案を実施するための形態】
【０００７】  洗浄塔本体（１）の排気ガスは、吸込口（２）より侵入し、排風気と循環ポンプ用スイッチ（１４）の操作により、先ず吸込口（２）より充填材室（７）に入り、その内部を通過して内部のパッキンにより濾過され上昇し、シャワー（８）に侵入洗浄された水滴の含んだ排気ガスは、上部のミストセパレーター及びデミスター（９）で水切り乾燥された状態で上方に位置する複数の活性炭フィルター（１０）（１０）の内部で通過処理され、更に上部のヘパフィルター（４）によって微粉処理され、上部の排風機（１１）を経て吐出口（３）より大気中に放出するものである。
【実施例】
【０００８】  本考案の実施例を図面について説明すると、洗浄塔本体（１）は、硬質合成樹脂のポリプロピレン系樹脂を以って構成し、全体を縦型の方形状に形成され、内部の下端には、循環ポンプ（５）と、その上部の水槽（６）を排水管（１６）によって連結している。
該吸込口（２）よりの侵入ガスは、充填材室（７）を通過と同時に上部のシャワー（８）によって洗浄濾過される。
該シャワー（８）によって洗浄された排気ガスは、充填に水滴を含んだ状態で上昇し、上部に位置するミストセパレーター及びデミスター（９）の内部を通過する際に水滴を排除して乾燥状態を同時に併用する。
次に、該ミストセパレーター及びデミスター（９）を通過した乾燥された排気ガスは、上部の複数の活性炭フィルター（１０）を並列した室内を上昇し、上部に設置したヘパフィルター（４）を経て排風機（１１）とモーター（１２）の作動によって上部に設置した吐出口（３）により外部に放出するものである。【０００９】  図１、図３に示す符号（１４）は、該洗浄塔本体（１）の側壁に取付けた排風機、循環ポンプ用スイッチを示し、同じく側壁に設けた符号（１５）は、ボールタップ付バルブを示したものである。
また、符号（１３）は、モーター（１２）のモーターカバーを示したものである。
次に、図２に示す符号（１７）は、該水槽（６）の上部に設けた給水、薬液注入口を示したものである。また、該活性炭フィルター（１０）の内部を調べる活性炭、監視用の覗き窓（１８）を設け、該シャワー（８）の室内を覗き見るシャワー監視窓（１９）を装設する。更に、該給水、薬液注入口（１７）の内部を監視するための水位覗き窓（２０）を各々装設する。なお符号（２１）は、差圧計を示したものである。
【符号の説明】
【００１０】１            洗浄塔本体
２            吸込口
３            吐出口
４            ヘパフィルター
５            循環ポンプ
６            水槽
７            充填材室
８            シャワー
９            ミストセパレーター及びデミスター
１０          活性炭フィルター
１１          排風機
１２          モーター
１３          モーターカバー
１４          排風機、循環ポンプ用スイッチ
１５          ボールタップ付バルブ
１６          排水管
１７          給水、薬液注入口
１８          活性炭、監視用の覗き窓
１９          シャワー監視窓
２０          水位覗き窓
２１          差圧計
【図１】
0003185047.tif 000003
【図２】
0003185047.tif 000004
【図３】
0003185047.tif 000005
【図４】
0003185047.tif 000006
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
洗浄塔本体（１）は、硬質合成樹脂のポリプロピレン系樹脂を以って全体を縦型の方形状に構成し、該洗浄塔本体（１）には、下端に循環ポンプ（５）を設置し、該循環ポンプ（５）には、上部の水槽（６）とを排水管（１６）で連結し、該水槽（６）の上部には、充填材室（７）を設け、該充填材室（７）には、上部にシャワー（８）とミストセパレーター及びデミスター（９）を設置し、該ミストセパレーター及びデミスター（９）には、上部に複数の活性炭フィルター（１０）（１０）を並設し、該活性炭フィルター（１０）（１０）の上部には、ヘパフィルター（４）を経た排風機（１１）とモーター（１２）とを段段収納したことを特徴とした湿式及び乾式、ヘパフィルター併用ガス洗浄装置。